(57)【要約】【課題】耐突刺し性を有し、プロテクタにシールド性を保有させることができ、人為作業の工数を削減でき、かつ、低コストが実現できるプロテクタおよびワイヤハーネスを提供すること。【解決手段】プロテクタ１は、プロテクタ本体２の凹面部２１と蓋部３の内面部３１に、高透磁率金属粉を含有する所要厚さの発泡ウレタン層４２ａ，４２ｂがそれぞれ形成され、プロテクタ本体２の外面部２２と蓋部３の外面部３２に、箔膜４１ａ，４１ｂがそれぞれ形成される。電線群７０ａを挿通、収容したプロテクタ本体２の凹面部２１の開口部を蓋部３によって閉蓋してワイヤハーネス８を形成し、プロテクタ本体２および蓋部３の上から粘着テープ８１を巻き付けて締め込んだ後、外側から加熱すると、発泡ウレタン層４２ａ，４２ｂが発泡し、電線群７０ａを保持する状態に当接する。【選択図】図４
2017004886.tif 000002
【特許請求の範囲】
【請求項１】
電線群を収容する溝状の凹面部を有し、かつ外面部に箔膜が形成された合成樹脂製のプロテクタ本体と、
外面部に箔膜が形成され、前記プロテクタ本体の前記凹面部を閉塞する合成樹脂製の蓋部と、を備え、
少なくとも前記プロテクタ本体の前記凹面部に、高透磁率金属粉を含有する所要厚さの発泡ウレタン層が形成されたことを特徴とするプロテクタ。
【請求項２】
前記蓋部の内面部にも、高透磁率金属粉を含有する所要厚さの発泡ウレタン層が形成された請求項１に記載のプロテクタ。
【請求項３】
粘着テープで複数箇所を部分結束した電線群と、請求項１または２に記載のプロテクタと、を備え、
前記電線群が前記プロテクタ本体の凹部に収容され、かつ前記蓋部が閉蓋状態を保持された状態で、所要高い温度に加熱されることにより、前記発泡ウレタン層が膨張して前記プロテクタ内の前記電線群の周囲を埋めている構成であることを特徴とするワイヤハーネス。
【発明の詳細な説明】
【技術分野】
【０００１】
本発明は、プロテクタおよびワイヤハーネスに関する。
【背景技術】
【０００２】
従来、ワイヤハーネスの配設箇所によっては、例えば電線を車体側の金属エッジ等から保護すること、およびシールド性が要請され、ワイヤハーネス幹線へシールド性を有するプロテクタが取り付けられる。
【０００３】
プロテクタにシールド性を保有させる１つの方法は、プロテクタを金属製押出形材で構成する（例えば、特許文献１参照）。
【０００４】
プロテクタが対象ではないがシールド性を保有させる他の方法は、芯線を絶縁樹脂層で被覆したコア線を、金属箔テープを巻き付ける構成が知られている（例えば、特許文献２参照）。
【０００５】
金属箔テープを巻き付けてシールド性を保有させる方法は、プロテクタにも適用される。図９は、特許文献３に開示された図１のプロテクタと同一のプロテクタを示す図である。このプロテクタ４０は、プロテクタ本体４１と、プロテクタ本体４１の開放側の一側にヒンジ部４２を介して連続する蓋部４３と、プロテクタ本体４１と蓋部４３とに雌雄対に設けられ蓋部４３を閉じたときにロックするロック手段４４とを備えてなる。また、従来は、例えば図９に示すプロテクタ４０の外面に金属箔を巻き付けてシールド性を保有させる方法もあった。
【先行技術文献】
【特許文献】
【０００６】
【特許文献１】特開２００５−４４６０７号公報
【特許文献２】特開２０１１−１８８６１６号公報
【特許文献３】特開２０１５−８０２９３号公報
【発明の概要】
【発明が解決しようとする課題】
【０００７】
しかしながら、特許文献１に記載されるプロテクタは、金属製押出形材で構成されるのでコストが高くつくという問題があった。特許文献２に記載されたシールド性を保有させる方法は、金属エッジ等からの保護が十分ではないという問題があった。また、図９に示すプロテクタ３０の外面に金属箔を巻き付けてシールド性を保有させる方法は、金属箔を巻き付ける人為作業を必要とするという問題があった。
【０００８】
本発明は、上述のような課題を解決するためになされたもので、耐突刺し性を有し、プロテクタにシールド性を保有させることができ、人為作業の工数を削減でき、かつ、低コストが実現できるプロテクタおよびワイヤハーネスを提供することを目的としている。
【課題を解決するための手段】
【０００９】
本発明のプロテクタは、上記課題を解決するため、電線群を収容する溝状の凹面部を有し、かつ外面部に箔膜が形成された合成樹脂製のプロテクタ本体と、外面部に箔膜が形成され、前記プロテクタ本体の前記凹面部を閉塞する合成樹脂製の蓋部と、を備え、少なくとも前記プロテクタ本体の前記凹面部に、高透磁率金属粉を含有する所要厚さの発泡ウレタン層が形成された構成である。
【００１０】
上記構成により、本発明のプロテクタは、プロテクタ本体と蓋部が金属製でなく合成樹脂製であるため、耐突刺し性を有するとともに、低コストでの製造が可能になる。また、本発明のプロテクタは、シールド性は、プロテクタ本体と蓋部の各外面部に形成された箔膜がシールド性を保有するとともに、プロテクタ本体内に形成された高透磁率金属粉を含有する発泡ウレタン層が発泡して電線群の周囲を埋め尽くしてシールド性を保有するので、シールド性を向上させることができるとともに、従来のような金属箔を巻き付ける構成に比べて、金属箔を巻き付ける作業が不要になった分、人為作業の工数を削減できる。
【００１１】
前記蓋部の内面部にも、高透磁率金属粉を含有する所要厚さの発泡ウレタン層が形成された構成が好ましい。この構成により、一層、シールド性が向上する。
【００１２】
本発明のワイヤハーネスは、上記課題を解決するため、粘着テープで複数箇所を部分結束した電線群と、請求項１または２に記載のプロテクタと、を備え、前記電線群が前記プロテクタ本体の凹部に収容され、かつ前記蓋部が閉蓋状態を保持された状態で、所要高い温度に加熱されることにより、前記発泡ウレタン層が膨張して前記プロテクタ内の前記電線群の周囲を埋めている構成である。
【００１３】
上記構成により、本発明のワイヤハーネスは、プロテクタ本体と蓋部の各外面部に形成された箔膜がシールド性を保有するとともに、プロテクタ本体内に形成された高透磁率金属粉を含有する発泡ウレタン層が発泡して電線群の周囲を埋め尽くしてシールド性を保有するものであり、シールド性を向上させることができるとともに、電線群を保護するように本発明のプロテクタを取付けた後に金属箔を巻き付ける人為作業を必要としていた従来技術に比べ、人為作業の工数を削減できる。
【発明の効果】
【００１４】
本発明によれば、耐突刺し性を有し、プロテクタにシールド性を保有させることができ、人為作業の工数を削減でき、かつ、低コストが実現できるプロテクタおよびワイヤハーネスを提供することができる。
【図面の簡単な説明】
【００１５】
【図１】本発明の第１の実施の形態に係るプロテクタの断面の構成を示す図である。
【図２】本発明の第１の実施の形態に係るプロテクタを用いたワイヤハーネスの組み立て工程を示す斜視図である。
【図３】図２（ｃ）に示すワイヤハーネスの加熱工程前のＡ−Ａ線による断面の構成を示す図である。
【図４】図２（ｃ）に示すワイヤハーネスの加熱工程後のＡ−Ａ線による断面の構成を示す図である。
【図５】本発明の第２の実施の形態のプロテクタの断面の構成を示す図である。
【図６】本発明の第２の実施の形態のプロテクタを用いたワイヤハーネスの断面の構成を示す図であり、図６（ａ）は、加熱工程前の断面の構成を示し、図６（ｂ）は、加熱工程後の断面の構成を示している。
【図７】本発明の第３の実施の形態のプロテクタの断面の構成を示す図である。
【図８】本発明の第３の実施の形態のプロテクタを用いたワイヤハーネスの断面の構成を示す図であり、図８（ａ）は、加熱工程前の断面の構成を示し、図８（ｂ）は、加熱工程後の断面の構成を示している。
【図９】従来のプロテクタの構成を示す斜視図である。
【発明を実施するための形態】
【００１６】
以下、本発明のプロテクタおよびワイヤハーネスの実施の形態について図面を参照して説明する。
【００１７】
〔第１の実施の形態〕
（プロテクタ）
図１に示すように、第１の実施の形態のプロテクタ１は、電線群を収容する溝状の凹面部２１を有するプロテクタ本体２と、プロテクタ本体２の凹面部２１を閉蓋する蓋部３とにより構成される。
【００１８】
プロテクタ本体２は、凹面部２１に高透磁率金属粉を含有する所要厚さの発泡ウレタン層４２ａが形成されるとともに、外面部２２に箔膜４１ａが形成されている。蓋部３は、内面部３１に例えば発泡ウレタン層４２ａと同等の発泡ウレタン層４２ｂが形成されるとともに、外面部３２に例えば箔膜４１ａと同等の箔膜４１ｂが形成されている。
【００１９】
図１に示すプロテクタ１において、プロテクタ本体２および蓋部３は、例えば、ポリプロピレン（ＰＰ）等を用いて構成される。また、プロテクタ本体２に設けられる箔膜４１ａと、蓋部３に設けられる箔膜４１ｂは、例えば、アルミ製の箔膜であり、真空蒸着または高周波イ音符レーティング処理によって形成することが可能である。一方、プロテクタ本体２および蓋部３は、発泡ウレタン層４２ａ，４２ｂが、内面該当箇所に発泡ウレタン材を塗布することにより形成される。
【００２０】
プロテクタ１は、蓋部３がプロテクタ本体２から分離して設けられており、後述する電線群７０ａの保護に際しては、プロテクタ本体２の凹面部２１により形成される溝状の開口に電線群７０ａを収容した後、上記開口をプロテクタ本体２とは分離している蓋部３で閉蓋して用いられる。また、プロテクタ１は、閉蓋時に、粘着テープ８１（図２（ｃ）参照）を巻き付けられて閉蓋状態を保持するように構成されている。
【００２１】
本実施の形態のプロテクタ１は、電線群７０ａを熱的要因から遮断するとともに、車体等から発生する電気特性をシールドするように電線群７０ａを被覆するために用いられる。上記耐熱機能は、後述するように、プロテクタ本体２とその開口を閉蓋する蓋部３の内面に塗布された発泡ウレタン層４２ａ，４２ｂの発泡時の厚さの増大により達成される。
【００２２】
また、発泡ウレタン層４２ａ，４２ｂは、高透磁率の金属粉が含有されている。これにより、発泡ウレタン層４２ａ，４２ｂが熱により発泡し、体積が増大するにつれて高透磁率の金属粉による耐シールド面が広くなり、耐シールド性も向上することとなる。
【００２３】
このように、本実施の形態のプロテクタ１は、プロテクタ本体２と蓋部３が金属製でなく合成樹脂製であるため、耐突刺し性を有するとともに、低コストでの製造が可能になる。また、本発明のプロテクタ１は、シールド性は、プロテクタ本体２と蓋部３の各外面部に形成された箔膜４１ａ，４１ｂが保有するとともに、プロテクタ本体２内に形成された高透磁率金属粉を含有する発泡ウレタン層４２ａが発泡して電線群７０ａの周囲を埋め尽くしてシールド性を保有するので、シールド性を向上させることができるとともに、従来のような金属箔を巻き付ける構成に比べて、金属箔を巻き付ける作業が不要になった分、人為作業の工数を削減できる。
【００２４】
なお、本実施の形態では、図１に示すように、プロテクタ本体２の凹面部２１と蓋部３の内面部３１の双方に発泡ウレタン層４２ａ，４２ｂを形成する構成の他、例えば、プロテクタ本体２の凹面部２１にのみ発泡ウレタン層４２ａを設ける構成としてもよい。但し、プロテクタ１は、蓋部３の内面部にも高透磁率金属粉を含有する所要厚さの発泡ウレタン層４２ｂが形成されたもの（図１参照）の方が、プロテクタ本体２の凹面部２１にのみ発泡ウレタン層４２ａを設けたものに比べて、一層、シールド性が向上する。
【００２５】
（ワイヤハーネス）
次に、本実施の形態のワイヤハーネス８について図２を参照して説明する。
本実施の形態のプロテクタ１を用いてハーネス幹線を保護するためには、まず、図２（ａ）に示すように、保護対象の複数の電線７０を電線群７０ａとして粘着テープ７１で結束する。次に、蓋部３が開かれた状態のプロテクタ本体２の溝状の凹面部２１の内部に、結束した電線群７０ａを、溝の長手方向に延びる姿勢で収容する。
【００２６】
次に、図２（ｂ）に示すように、電線群７０ａを挿通、収容したプロテクタ本体２の凹面部２１の開口部を蓋部３によって閉蓋し、その状態で、さらに図２（ｃ）に示すように、蓋部３がとれないように、プロテクタ本体２および蓋部３の上から粘着テープ８１を巻き付けて締め込む。
【００２７】
図２（ｂ）および図２（ｃ）において、プロテクタ本体２に蓋部３を閉蓋したプロテクタ１と、プロテクタ１のプロテクタ本体２の凹面部２１と蓋部３の内面部３１とで構成される空間を通る電線群７０ａとは、本実施の形態のワイヤハーネス８を構成する。その後、このワイヤハーネス８のプロテクタ本体２および蓋部３を、その外側から、例えば、摂氏８０度以上で加熱し、発泡ウレタン材を発泡させる。
【００２８】
図３は、図２（ｃ）に示すプロテクタ１の閉蓋、結束状態におけるワイヤハーネス８のＡ−Ａ線による断面構造を示すものである。図３に示すように、プロテクタ本体２の蓋部３による閉蓋時、すなわち、ワイヤハーネス８を加熱する前には、プロテクタ本体２の凹面部２１の内面部に形成された発泡ウレタン層４２ａ、および蓋部３の内面部３１に形成された発泡ウレタン層４２ｂは、電線群７０ａの表面から離間し両者の間に隙間が形成された状態にある。
【００２９】
この状態で図２（ｃ）に示すような上記加熱による加熱工程を実行すると、図４に示すように、上記加熱温度によって発泡ウレタン層４２ａ，４２ｂが発泡し、体積が約３倍以上に膨れあがる。これにより、発泡ウレタン層４２ａ，４２ｂが電線群７０ａとの隙間を埋めるように発泡してしっかりと電線群７０ａを保持する状態に当接する。
また、図４に示す発泡ウレタン層４２ａ，４２ｂの発泡状態においては、発泡ウレタン層４２ａ，４２ｂの中に金属粉が入れられていること、およびそのような金属粉の発泡ウレタン層４２ａ，４２ｂの体積が増大することの２つの作用によって、電磁シールド効果が上がり、かつ、断熱性能が向上するといった２面の観点からの作用効果をもたらす。
【００３０】
また、上記作用効果は、図２（ｃ）に示す閉蓋、加熱工程での加熱処理によって持たされるものであり、従来のように、断熱用の金属シートを巻き付ける、シールド用の金属シートを巻き付ける作業は必要とされない。
【００３１】
このように、本実施の形態のワイヤハーネス８は、プロテクタ本体２と蓋部３の各外面部に形成された箔膜４１ａ，４１ｂがシールド性を保有するとともに、プロテクタ本体２内と蓋部３内に形成された高透磁率金属粉を含有する発泡ウレタン層４２ａ，４２ｂが発泡して電線群７０ａの周囲を埋め尽くしてシールド性を保有するものであり、シールド性を向上させることができるとともに、電線群７０ａを保護するように本実施の形態のプロテクタ１を取付けた後に金属箔を巻き付ける人為作業を必要としていた従来技術に比べ、人為作業の工数を削減できる。
【００３２】
〔第２の実施の形態〕
次に、第２の実施の形態のプロテクタ１Ａおよびワイヤハーネス８Ａについて、図５および図６を参照して説明する。なお、図５および図６に示す本実施の形態のプロテクタ１Ａについては、図１に示す第１の実施の形態のプロテクタ１と同一の構成要素には同一符号を付けて説明を省略し、相違点を中心に説明する。
【００３３】
（プロテクタ）
図５に示すように、本実施の形態のプロテクタ１Ａは、電線群７０ａを収容する溝状の凹面部２１Ａを有するプロテクタ本体２Ａと、プロテクタ本体２Ａの凹面部２１Ａを閉蓋する蓋部３Ａとにより構成される。
【００３４】
プロテクタ本体２Ａは、凹面部２１Ａの開口側の両側端部に設けられた蓋受け部２３，２４を有する。蓋受け部２３，２４は、それぞれ、蓋部３Ａに設けられた後述の突出部３３，３４に対応する開孔部２３１，２４１が形成されている。
【００３５】
蓋部３Ａは、内面部３１Ａにおけるプロテクタ本体２Ａの蓋受け部２３，２４と対向する位置に、蓋受け部２３，２４の開孔部２３１，２４１に嵌入可能な突出部３３，３４が設けられている。また、突出部３３，３４の先端部には、ぞれぞれ、ｓ爪部３３１，３４１が設けられている。
【００３６】
プロテクタ１Ａは、閉蓋を行う場合には、図５に示すように、プロテクタ本体２Ａの蓋受け部２３，２４に蓋部３Ａの突出部３３，３４を対向させるように蓋部３Ａを手で持ち、その位置から、蓋部３Ａの突出部３３，３４のｓ爪部３３１，３４１をプロテクタ本体２Ａの蓋受け部２３，２４の開孔部２３１，２４１にそれぞれ嵌入させたうえで蓋部３Ａの内面部３１Ａの下面が蓋受け部２３，２４の上面に接するまで下方に降ろしていく。
【００３７】
その際、蓋部３Ａの突出部３３，３４は、合成樹脂製が持つ弾性によりｓ爪部３３１，３４１の幅分だけ内側に撓んだ状態で開孔部２３１，２４１を通過し、閉蓋が完了してｓ爪部３３１，３４１が開孔部２３１，２４１を通過し終えると上記撓みのない元の状態に戻る。これにより、蓋部３Ａは、突出部３３，３４のｓ爪部３３１，３４１が蓋受け部２３，２４の下部に係合し、ロック状態となる。このように、図５において、蓋部３Ａ側の突出部３３とプロテクタ本体２Ａの蓋受け部２３側の開孔部２３１、および蓋部３Ａ側の突出部３４とプロテクタ本体２Ａの蓋受け部２４側の開孔部２４１は、突出部３３，３４の弾性を利用してそれぞれ開孔部２３１，２４１に嵌め込んでｓ爪部３３１，３４１で引っ掛ける雌雄対のロック手段５１、５２を構成する。
【００３８】
上述したように、プロテクタ１Ａにおいて、プロテクタ本体２Ａは、電線群７０ａを収容する溝状の凹面部２１Ａの両端部に、雄型の係止部材を受け入れて係止嵌合する雌型の係止部材である開孔部２３１，２４１が形成されている。一方、プロテクタ１Ａにおいて、蓋部３Ａの内面部３１Ａの両端部には、プロテクタ本体２Ａの上記開孔部２３１，２４１に対向する位置に、該開孔部２３１，２４１に嵌入して係止する雄型の係止部材であるｓ爪部３３１，３４１を有する突出部３３，３４が設けられている。
【００３９】
プロテクタ１Ａは、上記ロック手段５１、５２を有する以外の構成は第１の実施の形態のプロテクタ１と同等である。すなわち、プロテクタ１Ａは、第１の実施の形態と同様、プロテクタ本体２Ａの凹面部２１Ａおよび蓋部３Ａの内面部３１Ａには、発泡ウレタン層４２ａおよび４２ｂが形成されるとともに、プロテクタ本体２Ａの外面部２２Ａおよび蓋部３Ａの外面部３２Ａには箔膜４１ａ，４１ｂが形成されている。
【００４０】
このように、本実施の形態のプロテクタ１Ａは、蓋部３Ａが、プロテクタ本体２Ａと分離して設けられ、閉蓋時に、蓋部３Ａの内面部３１Ａの両側端部とプロテクタ本体２Ａの凹面部２１Ａの両側端部とに設けられた、蓋部３Ａ側の突出部３３，３４とプロテクタ本体２Ａの蓋受け部２３，２４側の開孔部２３１，２４１とからなる雌雄対のロック手段５１、５２がロックして閉蓋状態を保持する構成を有している。
【００４１】
この構成により、本実施の形態のプロテクタ１Ａは、第１の実施の形態のプロテクタ１と同等の作用効果を有する。さらに、本実施の形態のプロテクタ１Ａは、プロテクタ本体２Ａにそれとは分離した蓋部３Ａを被せ、雌雄一対のロック手段５１，５２でロックするだけで蓋部３Ａが外れ難い状態に閉蓋することができ、閉蓋後のプロテクタ１Ａに対する粘着テープ８１の巻き付け工程も不要になるという作用効果を有する。
【００４２】
（ワイヤハーネス）
次に、本実施の形態のワイヤハーネス８Ａについて図６を参照して説明する。
本実施の形態のプロテクタ１Ａを用いてハーネス幹線を保護するためには、図２に示す手順と同等の手順で、粘着テープ７１で電線群７０ａを部分結束する結束工程（図２（ａ）参照）、部分結束した電線群７０ａを開蓋状態のプロテクタ本体２Ａの凹部に収容する収容工程（図２（ａ）参照）、プロテクタ本体２Ａの凹部を蓋部３Ａにより閉蓋する閉蓋工程（図２（ｂ）参照）を実施する。
【００４３】
特に、本実施の形態では、上記閉蓋工程において、蓋部３Ａが開かれた状態のプロテクタ本体２Ａの凹面部２１Ａの内部（凹部）に、部分結束した電線群７０ａを収容した状態で、蓋部３Ａの突出部３３，３４がその先端部のｓ爪部３３１，３４１からプロテクタ本体２Ａ側のそれぞれ対応する蓋受け部２３，２４の開孔部２３１，２４１に嵌入されるように蓋部３Ｂを降ろしていくことにより閉蓋を行う。
【００４４】
上記閉蓋が完了した状態において、蓋部３Ｂは、図６（ａ）に示すように、突出部３３，３４が開孔部２３１，２４１通過時の撓みを解除されてｓ爪部３３１が開孔部２３１，２４１の下面側に係合することにより蓋部３Ｂを開けることができない状態にロックされる。このため、本実施の形態では、閉蓋状態のプロテクタ本体２Ａおよび蓋部３Ａを粘着テープ８１で巻くテープ巻き工程（図２（ｃ））は必ずしも必要とされない。
【００４５】
本実施の形態のプロテクタ１Ａは、上記閉蓋工程でプロテクタ本体２Ａが蓋部３Ａによって閉蓋された状態での断面構造は、例えば、図６（ａ）に示す構造を有する。図６（ａ）において、プロテクタ本体２Ａに蓋部３Ａを閉蓋したプロテクタ１Ａと、プロテクタ１Ａのプロテクタ本体２Ａの凹面部２１Ａと蓋部３Ａの内面部３１Ａとで構成される空間を通る電線群７０ａとは、本実施の形態のワイヤハーネス８Ａを構成する。
【００４６】
図６（ａ）に示すように、ワイヤハーネス８Ａは、加熱する前には、プロテクタ本体２Ａの凹面部２１Ａの内面部に形成された発泡ウレタン層４２ａ、および蓋部３Ａの内面部３１Ａに形成された発泡ウレタン層４２ｂが、電線群７０ａの表面から離間し両者の間に隙間が形成された状態にある。
【００４７】
図６（ａ）に示すワイヤハーネス８Ａは、その外側から、例えば、摂氏８０度以上で加熱すると、すなわち、図２（ｃ）に示すような加熱工程を実行すると、図６（ｂ）に示すように、上記加熱温度によって発泡ウレタン層４２ａ，４２ｂが発泡し、体積が約３倍以上に膨れあがる。これにより、発泡ウレタン層４２ａ，４２ｂが電線群７０ａとの隙間を埋めるように発泡してしっかりと電線群７０ａを保持する状態に当接する。
【００４８】
このように、本実施の形態のワイヤハーネス８Ａは、第１の実施の形態のワイヤハーネス８と同様、粘着テープ７１で複数個所を部分結束した電線群７０ａがプロテクタ１Ａの凹部に収容され、かつ蓋部３Ａが閉蓋状態を保持された状態で、所定の高い温度に加熱されることにより、発泡ウレタン層４２ａ，４２ｂが膨張してプロテクタ１Ａ内の電線群７０ａの周囲を埋めている構成を有するため、第１の実施の形態のワイヤハーネス８と同等の作用効果を有する。
【００４９】
また、本実施の形態のワイヤハーネス８Ａは、蓋部３Ａが、プロテクタ本体２Ａと分離して設けられ、閉蓋時に、蓋部３Ａの両側端部とプロテクタ本体２Ａの両側端部とに設けられた雌雄対のロック手段５１，５２がロックして閉蓋状態を保持するプロテクタ１Ａを用いているため、閉蓋工程後のプロテクタ１Ａの加熱処理に先だって粘着テープ８１によるテープ巻き工程が不要になり、人為作業の工数をさらに削減できるという作用効果を有する。
【００５０】
〔第３の実施の形態〕
次に、第３の実施の形態のプロテクタ１Ｂおよびワイヤハーネス８Ｂについて、図７および図８を参照して説明する。なお、図７および図８に示す本実施の形態のプロテクタ１Ｂについては、図１に示す第１の実施の形態のプロテクタ１、図５に示す第２の実施の形態のプロテクタ１Ａと同一の構成要素には同一符号を付けて説明を省略し、相違点を中心に説明する。
【００５１】
（プロテクタ）
本実施の形態のプロテクタ１Ｂは、図７に示すように、蓋部３Ｂが、プロテクタ本体２Ｂの凹面部２１Ｂ側の一側にヒンジ部６を介して連続して設けられている。これにより、プロテクタ１Ｂは、蓋部３Ｂが、ヒンジ部６を介して、図７に示す開蓋された状態と、図８に示すワイヤハーネス８Ｂとして用いる際の閉蓋された状態との間で矢印ａ１およびｂ１方向に回動可能である。
【００５２】
プロテクタ１Ｂは、蓋部３Ｂが、プロテクタ本体２Ｂの凹面部２１Ｂ側の一側にヒンジ部６を介して連続して設けられる以外の構造は第２の実施の形態のプロテクタ１Ａと同等である。すなわち、プロテクタ１Ｂは、蓋部３Ｂの内面部３１Ｂのヒンジ部６が設けられた側と反対の側にｓ爪部３３１を有する突出部３３が設けられている。また、プロテクタ本体２Ｂは、凹面部２１Ｂの他の一側、すなわち、ヒンジ部６が設けられていない側の蓋受け部２３に上記突出部３３を嵌入可能な開孔部２３１が設けられている。突出部３３と開孔部２３１とは、第２の実施の形態と同様、雌雄対のロック手段５１を構成する。
【００５３】
また、プロテクタ１Ｂは、第１および第２の実施の形態と同様、プロテクタ本体２Ｂの凹面部２１Ｂおよび蓋部３の内面部３１には、発泡ウレタン層４２ａおよび４２ｂが形成されるとともに、プロテクタ本体２Ｂの外面部２２Ｂおよび蓋部３の外面部３２Ｂには箔膜４１ａ，４１ｂが形成されている。
【００５４】
このように、本実施の形態のプロテクタ１Ｂは、蓋部３Ｂが、プロテクタ本体２Ｂの凹面部２１Ｂ側の一側にヒンジ部６を介して連続して設けられ、閉蓋時に、蓋部３Ｂとプロテクタ本体２Ｂとに設けられた雌雄対のロック手段５１がロックして閉蓋状態を保持する構成を有するため、第１の実施の形態のプロテクタ１、第２の実施の形態のプロテクタ１Ａと同等の作用効果を有するとともに、さらに、プロテクタ本体２Ｂと蓋部３Ｂを分離させずに扱うことができ、閉蓋の作業性が向上するという作用効果を有する。
【００５５】
（ワイヤハーネス）
次に、本実施の形態のワイヤハーネス８Ｂについて図８を参照して説明する。
本実施の形態のプロテクタ１Ｂを用いてハーネス幹線を保護するためには、図２に示す手順と同等の手順で、粘着テープ７１で電線群７０ａを部分結束する結束工程（図２（ａ）参照）、部分結束した電線群７０ａを開蓋状態のプロテクタ本体２Ｂの凹部に収容する収容工程（図２（ａ）参照）、プロテクタ本体２Ｂの凹部を蓋部３Ｂにより閉蓋する閉蓋工程（図２（ｃ）参照）を実施する。
【００５６】
上記閉蓋工程において、蓋部３Ｂが開かれた状態のプロテクタ本体２Ｂの凹面部２１の内部に、部分結束した電線群７０ａを収容した状態で、蓋部３Ｂの突出部３３がその先端から開孔部２３１に嵌入されるように蓋部３Ｂを回動させて閉蓋を行う。
【００５７】
上記閉蓋が完了した状態では、図８（ａ）に示すように、蓋部３Ｂは、突出部３３のｓ爪部３３１が開孔部２３１を通り抜けた位置で蓋受け部２３の下面側に係合し、蓋部３Ｂが開けない状態にロックされる。したがって、本実施の形態では、閉蓋状態のプロテクタ本体２Ｂおよび蓋部３Ｂを粘着テープ８１で巻くテープ巻き工程（図２（ｃ））は必ずしも必要としない。
【００５８】
本実施の形態のプロテクタ１Ｂは、上記閉蓋工程でプロテクタ本体２Ｂが蓋部３Ｂによって閉蓋された状態での断面構造は、例えば、図８（ａ）に示す構造を有する。図８（ａ）において、プロテクタ本体２Ｂに蓋部３Ｂを閉蓋したプロテクタ１Ｂと、プロテクタ１Ｂのプロテクタ本体２Ｂの凹面部２１Ｂと蓋部３Ｂの内面部３１Ｂとで構成される空間を通る電線群７０ａとは、本実施の形態のワイヤハーネス８Ｂを構成する。
【００５９】
図８（ａ）に示すワイヤハーネス８Ｂは、プロテクタ本体２Ｂの凹面部２１Ｂの内面部に形成された発泡ウレタン層４２ａ、および蓋部３Ｂの内面部３１Ｂに形成された発泡ウレタン層４２ｂは、電線群７０ａの表面から離間し両者の間に隙間が形成された状態にある。
【００６０】
図８（ａ）に示すワイヤハーネス８Ｂは、その外側から、例えば、摂氏８０度以上で加熱すると、すなわち、図２（ｃ）に示すような加熱工程を実行すると、図８（ｂ）に示すように、上記加熱温度によって発泡ウレタン層４２ａ，４２ｂが発泡し、体積が約３倍以上に膨れあがる。これにより、発泡ウレタン層４２ａ，４２ｂが電線群７０ａとの隙間を埋めるように発泡してしっかりと電線群７０ａを保持する状態に当接する。
【００６１】
このように、本実施の形態のワイヤハーネス８Ｂは、第１の実施の形態のワイヤハーネス８、第２の実施の形態のワイヤハーネス８Ａと同様、粘着テープ７１で複数個所を部分結束した電線群７０ａがプロテクタ１Ｂの凹部に収容され、かつ蓋部３Ｂが閉蓋状態を保持された状態で、所定の高い温度に加熱されることにより、発泡ウレタン層４２ａ，４２ｂが膨張してプロテクタ１Ｂ内の電線群７０ａの周囲を埋めている構成を有するため、第１の実施の形態のワイヤハーネス８、第２の実施の形態のワイヤハーネス８Ａと同等の作用効果を有する。
【００６２】
また、本実施の形態のワイヤハーネス８Ｂは、蓋部３Ｂが、プロテクタ本体２Ｂの凹面部２１Ｂ側の一側にヒンジ部６を介して連続して設けられ、閉蓋時に、蓋部３Ｂとプロテクタ本体２Ｂとに設けられた雌雄対のロック手段５１がロックして閉蓋状態を保持するプロテクタ１Ｂを用いているため、プロテクタ１Ｂを加熱処理に先だって粘着テープ８１でテープ巻きにする工程が不要になり、人為作業の工数をさらに削減できるという作用効果を有する。
【００６３】
〔その他の実施の形態〕
本発明は、上記の実施の形態に限定されるものでなく、特許請求の範囲の技術的範囲には、発明の要旨を逸脱しない範囲内で種々、設計変更した形態が含まれる。上記実施の形態では、閉蓋し、かつ発泡前に保護対象の電線群７０ａの全周を取り巻くことが可能な位置に発泡ウレタン層４２ａ，４２ｂを形成する例を挙げているが、発泡ウレタン層４２ａ，４２ｂの形成位置、形状および厚さ等は任意に設定できるものである。
【００６４】
以上説明したように、本発明によれば、耐突刺し性を有し、プロテクタにシールド性を保有させることができ、人為作業の工数を削減でき、かつ、低コストが実現できるという効果を有し、プロテクタおよびワイヤハーネスの全般に有用である。
【符号の説明】
【００６５】
１，１Ａ，１Ｂ  プロテクタ
２，２Ａ，２Ｂ  プロテクタ本体
３，３Ａ，３Ｂ  蓋部
６  ヒンジ部
８，８Ａ，８Ｂ  ワイヤハーネス
２１，２１Ａ，２１Ｂ  凹面部
２２，２２Ａ，２２Ｂ  外面部
３１，３１Ａ，３１Ｂ  蓋部の内面部
３２，３２Ａ，３２Ｂ  蓋部の外面部
３３，３４  突出部
４１ａ，４１ｂ  箔膜
４２ａ，４２ｂ  発泡ウレタン層
５１，５２  ロック手段
７０ａ  電線群
７１，８１  粘着テープ
２３１，２４１  開孔部
３３１，３４１  ｓ爪部
【図１】
2017004886.tif 000003
【図２】
2017004886.tif 000004
【図３】
2017004886.tif 000005
【図４】
2017004886.tif 000006
【図５】
2017004886.tif 000007
【図６】
2017004886.tif 000008
【図７】
2017004886.tif 000009
【図８】
2017004886.tif 000010
【図９】
2017004886.tif 000011